(57)【要約】【課題】本発明の第１の目的は、保留ボウルを簡単な操作でベースに着脱可能にすることである。本発明の第２の目的は、保留ボウルを簡単な操作でベースに着脱可能にすると共に保留ボウルが確実に固定されるようにすることである。本発明の第３の目的は、上記装置を安価に提供することである。【解決手段】板状のベース、前記ベースに着脱可能に取り付けた保留ボウル、前記保留ボウルの底部であって、かつ、前記ベースの上面に配置した回転ディスクを有するコインホッパにおいて、前記ベースの一端部上面に形成したベース側第１フック、前記ベース側第１フックに相対する前記ベースの他端部に配置したベース側第２フック、前記ベース側第１フックに係合可能なボウル側第１フック、前記ベース側第２フックに係合可能なボウル側第２フックを備える保留ボウル取付装置である。【選択図】        図４
2004334408.tif 000002
【特許請求の範囲】
【請求項１】
板状のベース（１４）、前記ベース（１４）に着脱可能に取り付けた保留ボウル（２０）、前記保留ボウル（２０）の下部であって、かつ、前記ベース（１４）の上面に配置した回転ディスク（１６）を有するコインホッパにおいて、前記ベース（１４）の一端部上面に形成したベース側第１フック（５２）、前記ベース側第１フック（５２）に相対する前記ベース（１４）の他端部に配置したベース側第２フック（７２）、前記ベース側第１フック（５２）に係合可能なボウル側第１フック（６４）、前記ベース側第２フック（７２）に係合可能なボウル側第２フック（９２）を備える保留ボウル取付装置。
【請求項２】
さらに、前記ベース（１４）に形成したベース側位置決め装置（９６）、および、前記ベース側位置決め装置（９６）と密接する保留ボウル側位置決め装置（９８）を含む請求項１記載のコインホッパの保留ボウル取付装置。
【請求項３】
前記ベース側第１フック（５２）と前記ベース側位置決め装置（９６）とは所定の第１距離離れて配置され、前記ボウル側第１フック（６４）と前記ボウル側位置決め装置（９８）は前記第１距離よりも僅かに大きい第２距離離れて配置されている請求項１記載のコインホッパの保留ボウル取付装置。
【請求項４】
傾斜配置された板状のベース（１４）、前記ベース（１４）に着脱可能に取り付けた保留ボウル（２０）、前記保留ボウル（２０）の下部であって、かつ、前記ベース（１４）の上面に配置した回転ディスク（１６）を有するコインホッパにおいて、前記ベース（１４）の上側端部上面に形成した内向きの凸部（６０）であるベース側第１フック（５２）、前記ベース側第１フック（５２）に相対する前記ベース（１４）の下端部に配置したスライド可能なシャフト（８０）であるベース側第２フック（７２）、前記ベース側第１フック（５２）に係合可能な外向きの凹部（６６）であるボウル側第１フック（６４）、前記ベース側第２フック（７２）に係合可能な外向きの凹部（９０）であるボウル側第２フック（９２）を備える保留ボウル取付装置。
【請求項５】
さらに、前記ベース側第１フック（５２）と前記ベース側位置決め装置（９６）とは所定の第１距離離れて配置され、前記ボウル側第１フック（６４）と前記ボウル側位置決め装置（９８）は前記第１距離よりも僅かに大きい第２距離離れて配置されている請求項４記載のコインホッパの保留ボウル取付装置。
【請求項６】
前記シャフト（８０）がベース（１４）にピボット支持された解除レバー（８４）によってスライドされ、前記解除レバー（８４）は前記シャフト（８０）下方の前記ベース（１４）に形成された凹部（８５）に配置されている請求項５記載のコインホッパの保留ボウル取付装置。
【発明の詳細な説明】
【０００１】
【発明が属する技術分野】
本発明は、コインを１個ずつ区分けして払い出すコインホッパに関する。
詳しくは、コインを保留する保留ボウルの着脱が容易なコインホッパに関する。
なお、本明細書で使用する「コイン」は、通貨であるコインの他、ゲーム機のメダルやトークン等の代用貨幣または類似のものを包含する。
【０００２】
【従来の技術】
コインホッパは、ＡＴＭ、自動販売機やゲーム機に内蔵される。
コインホッパは、通常、ベースと、このベースに着脱可能なコインを保留する保留ボウルと、コインを払い出す回転ディスクとを有している。
【０００３】
ところで、コインがベースと回転ディスクとの間に挟まれ、回転ディスクがロックする噛み込み現象が希に発生する。
噛み込み現象が発生した場合、保留ボウル内のコインを取り出した後、保留ボウルをベースから取り外し、さらに回転ディスクを取り外して噛み込んだコインを除去した後、逆の手順で回転ディスクと保留ボウルを取り付けて修復していた。
そのため、保留ボウルを容易に取り外せるよう各種提案がなされている（例えば特許文献１参照。）。
【０００４】
【特許文献１】
特許第３１３９６９７号（第２頁、図１、図２）
【０００５】
この技術は、ベース側に形成したフックに保留ボウル側の係止部をフックして第一固定手段を構成し、加えて、前記フックに相対するベースに保留ボウル側に取り付けた第二固定手段であるスプリングを含む掛けがねで固定するようにしものである。
【０００６】
【発明が解決しようとする課題】
前記従来技術において、第一固定手段及び第二固定手段は簡単に係合及び解除できるが、第二固定手段はスプリングを使用している。
換言すれば、スプリングによって保留ボウルを保持するため、スプリング力が大きく、保留ボウルの着脱が容易でなかった。
また、稼働中に保留ボウルが微振動しないよう、さらにスプリング力を大きくせねばならず、保留ボウルの着脱がさらに容易でなかった。
着脱を容易にするため、スプリング力を小さくした場合、稼働中に保留ボウルが微振動し、耐久性がないという欠点がある。
【０００７】
本発明の第１の目的は、保留ボウルを簡単な操作でベースに着脱可能にすることである。
本発明の第２の目的は、保留ボウルを簡単な操作でベースに着脱可能にすると共に保留ボウルが確実に固定されるようにすることである。
本発明の第３の目的は、上記装置を安価に提供することである。
【０００８】
【課題を解決するための手段】
この目的を達成するため、本発明の保留ボウル取付装置は、以下のように構成されている。
板状のベース、前記ベースに着脱可能に取り付けた保留ボウル、前記保留ボウルの底部であって、かつ、前記ベースの上面に配置した回転ディスクを有するコインホッパにおいて、前記ベースの一端部上面に形成したベース側第１フック、前記ベース側第１フックに相対する前記ベースの他端部に配置したベース側第２フック、前記ベース側第１フックに係合可能なボウル側第１フック、前記ベース側第２フックに係合可能なボウル側第２フックを備える保留ボウル取付装置である。
【０００９】
この構成において、ベース側第１フックにボウル側第１フックをフックし、ベース側第２フックにボウル側第２フックをフックすることにより、保留ボウルをベースに固定することができる。
保留ボウルをベースから取り外す場合、ボウル側第２フックとベース側第２フックとのフックを解除した後、ボウル側第１フックとベース側第２フックとのフックを解除する。
したがって、フック及びフックの解除という簡単な操作により保留ボウルをベースに着脱できる利点がある。
【００１０】
本発明は、さらに、前記ベースに形成したベース側位置決め装置、および、前記ベース側位置決め装置と密接する保留ボウル側位置決め装置を含むことが好ましい。
この構成により、ベース側位置決め装置と密接する保留ボウル側位置決め装置により保留ボウルは所定の位置に位置決めされる。
したがって、保留ボウルをベースに着脱しても、保留ボウルとベースとの位置関係が毎回同一になるので位置調整の必要がない。
また、保留ボウルが稼動中に動くことがないので偏磨耗や作動不良を生じることがない。
【００１１】
本発明は、前記ベース側第１フックと前記ベース側位置決め装置とは所定の第１距離離れて配置され、前記ボウル側第１フックと前記ボウル側位置決め装置は前記第１距離よりも僅かに大きい第２距離離れて配置されていることが好ましい。
この構成において、保留ボウルがベースに取り付けられた場合、ボウル側第１フックとボウル側位置決め装置との間の第２距離は、ベース側第１フックとベース側位置決め装置との第１距離よりも僅かに大きいため、ボウル側位置決め装置はベース側位置決め装置に必ず密接する。
したがって、保留ボウルをベースに着脱しても、保留ボウルとベースとの位置関係が毎回同一になるので位置調整の必要がない。
また、保留ボウルが稼動中に動くことがないので偏磨耗や作動不良を生じることがない。
【００１２】
また、本発明は、傾斜配置された板状のベース、前記ベースに着脱可能に取り付けた保留ボウル、前記保留ボウルの底部であって、かつ、前記ベースの上面に配置した回転ディスクを有するコインホッパにおいて、前記ベースの上側端部上面に形成した内向きの凸部であるベース側第１フック、前記ベース側第１フックに相対する前記ベースの下端部に配置したスライド可能なバーであるベース側第２フック、前記ベース側第１フックに係合可能な外向きの凸部であるボウル側第１フック、前記ベース側第２フックに係合可能な外向きの凹部であるボウル側第２フックを備えることが好ましい。
【００１３】
この構成によれば、まず、ベース上側端部上面の内向き凸部であるベース側第１フックに、保留ボウルに形成した凹部であるボウル側第１フックを係止する。次にベースの下端部に配置したスライド可能なバーであるベース側第２フックに外向き凸部である保留ボウル側第２フックを係止することにより保留ボウルをベースに固定できる。
したがって、ベース側第１フックを見ながらボウル側第１フックを係合させた後、ボウルをベースに押し付けることにより、保留ボウル側第２フックをベース側第２フックに係合できるので、簡単な操作により保留ボウルをベースに固定することができる利点がある。
【００１４】
また本発明は、前記バーがベースにピボット支持された解除レバーによってスライドされ、前記解除レバーは前記バー下方の前記ベースに形成された凹部に配置されることが好ましい。
この構成において、ベースにピボット支持された解除レバーを押すことによりベース側第２フックであるバーを移動させてボウル側第２フックとの係合を解除することができる。
この解除した状態で保留ボウルを移動させることによりベース側第１フックとボウル側第１フックのフックを解除することができる。
この後、保留ボウルをベースから取り外すことができる。
したがって、簡単な操作により保留ボウルをベースに着脱可能であり、さらに、解除レバーが凹部に配置されているので誤って操作されることがない利点がある。
【００１５】
【発明の実施の形態】
図１は、本発明の実施例を装着したコインホッパの斜視図である。
図２は、本発明の実施例を装着したコインホッパの平面図である。
図３は、保留ボウルを取り外した本発明の実施例を装着したベースの斜視図である。
図４は、本発明の実施例の図２におけるＡ―Ａ断面図である。
図５は、本発明の実施例の解除レバー部の部分断面図である。
【００１６】
図４に示すように、ホッパー１０は、フレーム１２、ベース１４、回転ディスク１６、回転ディスク１６を回転する電気モーター１８及び保留ボウル２０を含んでいる。
フレーム１２は箱型台形状であって、上端に矩形平板状のベース１４が形成されている。
フレーム１２は、ベース１４の一部であり、一体或いは別体に形成され、ベース１４は水平線に対し約３０度傾斜している。
このベース１４に保留ボウル２０の下端部に形成した矩形平板状のボウルベース２２が取り付けられている。
このボウルベース２２は、ベース１４とほぼ同一サイズであり、ベース１４の上面５６と面接触する下面５７を有する。
【００１７】
ベース１４の中央部に円形の装着穴２４が形成され、その底部２６はほぼ平面である。
図３に示すように、回転ディスク１６が装着穴２４内に配置されている。
回転ディスク１６は、中央に円錐形の突起２８と、突起２８の回りに等間隔に複数（図２から明らかなように７個）の通孔３０を有する。
回転ディスク１６の厚みは、装着穴２４とほぼ同じである。
通孔３０の上部（回転ディスク１６の上面）は、すり鉢形のテーパー部に形成し、円板形のコイン３２が通孔３０に落下し易いようにしてある。
【００１８】
図４に示すように、回転ディスク１６は、減速機３６の出力軸３８から摩擦伝達機構（図示せず）を介して回転される。
減速機３６はベース１４の裏面に固定手段（図示せず）によって固定されている。
電気モーター１８は、減速機３６に固定されている。
モーター１８の回転は、減速機３６、出力軸３８及び摩擦伝達機構を介して回転ディスク１６に伝達される。
【００１９】
回転ディスク１６の通孔３０に落下したコイン３２は、ベース１４の底部２６に支えられ、かつ、回転ディスク１６の裏面に形成された押出突起（図示せず）によって押され、回転ディスク１６と共に回動され、所定の位置で底部２６に突出する規制ピン（図示せず）により回転ディスク１６の周方向にガイドされて投出口４２から払い出される。
保留ボウル２０の下端部は、装着穴２４とほぼ同径の円形であり、中間部は斜め上方に向かって伸びており、その上端部は四角形状に拡大する貯留部が形成され、その上面はディスク投入開口４４になっている。
【００２０】
次に保留ボウル２０のベース１４への固定装置４６を説明する。
固定装置４６は第１固定装置４８と第２固定装置５０とを含んでいる。
第１固定装置４８は、傾斜配置されたベース１４の上側端部に形成されたベース側第１フック５２及び保留ボウル２０の下部に形成したボウル側第１フック６４を含んでいる。
実施例において、図２に示すようにベース側第１フック５２はベース１４の上端部の左右端部にそれぞれ配置された上第１フック５２Ｕと下第１フック５２Ｌとを含んでいる。
しかし、保持力が十分な場合、一つにし、中央に配置することができる。
上第１フック５２Ｕと下第１フック５２Ｌとは同一構造であるので、同一符号を付してある。
【００２１】
ベース側第１フック５２は、ベース１４の上面５６に形成されたベース側第１フック孔５８内に形成されている。
すなわち、図４に示すように、フック孔５８を構成する上部壁面をベース１４の内方（中央）に向かって突出させてベース側第１凸部６０を形成し、ベース側第１フック５２としている。
第１凸部６０の外面は、断面が弧状に形成されている。
【００２２】
第１フック孔５８に相対する保留ボウル２０のボウルベース２２の下面からボウル側第１フック６４が下方に向かって突出している。
ボウル側第１フック６４は、上第１フック５２Ｕと下第１フック５２Ｌに相対して形成され、同一構成である。
この第１フック６４の下端部に外向きの第１凹部６６を形成してある。
ボウル側第１フック６４は、第１凹部６６であり、ベース側第１フック５２と係合してフックしあう機能を有している。
【００２３】
次に第２固定装置５０を説明する。
第２固定装置５０は、傾斜配置されたベース１４の下側端部に形成されたベース側第２フック７２と、保留ボウル２０に形成したボウル側第２フック９２とを含んでいる。
実施例において、ベース側第２フック７２はベース１４の下端部の左右端部にそれぞれ配置された上第２フック７２Ｕと下第２フック７２Ｌとを含んでいる。
しかし、保持力が十分な場合、中央の一つにすることができる。
上第２フック７２Ｕと下第２フック７２Ｌとは同一構造であるので、同一符号を付してある。
ベース側第２フック７２は、ベース１４の上面５６に形成された第２フック孔７４内に配置されている。
【００２４】
すなわち、第２フック孔７４の側方のベース１４に、上面５６と平行に形成した長孔７６にベース側第２フック７２であるシャフト８０の両端部が挿入され、シャフト８０は上面５６と並行にスライド可能である。
シャフト８０は、実施例において丸棒であるが、角棒であってもよい。
シャフト８０は、所定の強度と機能を有するもので有れば材質及び形状を問わない。
このシャフト８０は、フレーム１２に固定した軸８２にピボット可能に取り付けた解除レバー８４の上端部によって押され、前記長孔７６内を移動される（図５において右方向）。
解除レバー８４は、フレーム１２の側面に形成した凹部８５内に配置されている。
これにより、レバー８４が誤って押されて第２固定装置５０のフックが外れることを防止している。
【００２５】
また、シャフト８０は、スプリング８６によってベース１４の内方へ向かって付勢され、長穴７６の端部によって係止されている。
このとき、解除レバー８４の上端部は、シャフト８０によって押され、図５において最も反時計方向に回動され、フレーム１２の壁面８８との間で密に保持される。
第２フック孔７４に相対する保留ボウル２０のボウルベース２２の下面５７からボウル側第２フック片８９が突出している。
ボウル側第２フック片８９は、上第２フック７２Ｕと下第２フック７２Ｌに相対して形成され、同一構成である。
この第２フック片８９の下端部に外向きの第２凹部９０を形成してある。
ボウル側第２フック９２は、第２凹部９０であり、ベース側第２フック７２であるシャフト８０と係合してフックしあう機能を有している。
【００２６】
次に位置決め装置９４を説明する。
位置決め装置９４は、ベース側位置決め装置９６とボウル側位置決め装置９８とを含んでいる。
ベース側位置決め装置９６は、ベース側第１フック５２と相対してベース１４の下端部に突出したベース側ストッパ１００を含んでいる。
ベース側ストッパ１００は平板状であって、上面５６に対してほぼ直角をなしている。
したがって、ベース側第１フック５２とストッパ１００とは所定の第１距離離れて平行に配置されている。
【００２７】
ボウル側位置決め装置９８は、ボウル側第１フック６４とボウルベース２２の下側端面であるボウル側ストッパ１０４を含んでいる。
ボウル側第１フック６４とボウル側ストッパ１０４は、前記第１距離よりもやや大きい第２距離離れて平行に配置されている。
すなわち、ベース側ストッパ１００は、ベース１４と一体に樹脂で成形されているため、僅かに弾性を有している。
また、ボウル側第１フック６４及びボウル側第２フック９２も保留ボウル２０と一体に弾性を有する樹脂で成形されている。
【００２８】
したがって、ボウル側第１フック６４とボウル側ストッパ１０４が前記第１距離よりもやや大きい第２距離離れていても、それらの弾性変形によってベース側第１フック５２とストッパ１００との間にはまり込むことができる。
これにより、ベース側第１フック５２とボウル側第１フック６４およびベース側ストッパ１００とボウル側ストッパ１０４とが密に接するので、保留ボウル２０がベース１４に対して稼働中に振動することがない。
また、保留ボウル２０の中間部である底壁１０６に加わるコイン３２の重量は、ボウル側ストッパ１００によって分散して受けられるので、第２固定装置５０の荷重負担が減少し、その破損を防止することができる。
【００２９】
ボウル側第２フック９２の下端には、外向きの斜面１０８が形成され、シャフト８０と接触可能である。
シャフト８０が斜面１０８によって押された場合、シャフト８０は外方向へ押されて移動し、シャフト８０がさらに右方へ移動される。
シャフト８０が第２凹部９０に相対した場合、シャフト８０がスプリング８６によって引かれて第２凹部９０に進入し、はまりあう。
【００３０】
次に保留ボウル２０をベース１４から取り外す操作を説明する。
はじめに、解除レバー８４を押し込み、図５において時計方向に回動させてシャフト８０を外方（右方）に移動させる。
これによりシャフト８０が第２凹部９０の外に位置する。
この状態において、保留ボウル２０の下端部（図４において右端）を上方に押し上げることによりベース側第２フック７２とボウル側第２フック９２のフック状態を解除する。
【００３１】
次に、保留ボウル２０をベース側第１フック５２を支点に反時計方向へ回すことにより、ボウル側第１フック６４とベース側第１フック５２とのフック状態を解除してボウル側第１フック６４をベース側第１フック孔５８から抜き出す。
これにより、保留ボウル２０がベース１４から取り外される。
【００３２】
次に保留ボウル２０をベース１４に取り付けるケースを説明する。
まず、ボウル側第１フック６４をフック孔５８に挿入してベース側第１凸部６０に第１凹部６６をフックする。
次に保留ボウル２０をベース側第１フック５２を支点に図４において時計方向にピボット運動させてボウル側第２フック９２を第２フック孔７４に挿入し、押し込む。
これにより、斜面１０８がシャフト８０を押して外方へ移動させ、ボウルベース２２の下面５７がベース１４の上面５６と密接したとき、シャフト８０がボウル側第２フック９２である第２凹部９０に相対する。
これにより、シャフト８０がスプリング８６に引かれて第２凹部９０に進入してフック状態になり、結果として保留ボウル２０がベース１４に固定される。
【００３３】
この途上において、ボウル側ストッパ１０４がベース側ストッパ１００に係合する。
ボウル側ベース２２は、係合後更に保留ボウル２０が押し下げられるのでベース側ストッパ１００を僅かに変形させてさらに回動される。
したがって、ボウル側ベース２２はベース側第１フック５２とストッパ１００との間に密にはまり込み、その位置が固定され、コイン払出中に保留ボウル２０が移動することがない。
【００３４】
【発明の効果】
本発明は、フック及びフックの解除という簡単な操作により保留ボウルをベースに着脱できる利点がある。
また、保留ボウルがベースに取り付けられた場合、ボウル側位置決め装置はベース側位置決め装置に必ず密接する。
したがって、保留ボウルをベースに着脱しても、保留ボウルとベースとの位置関係が毎回同一になるので位置調整の必要がなく、さらに、保留ボウルが稼動中に動くことがないので偏磨耗や作動不良を生じることがない。
さらにまた、ベース側第１フックを見ながらボウル側第１フックを係合させた後、ボウルをベースに押し付けることにより、保留ボウル側第２フックをベース側第２フックに係合できるので、簡単な操作によりボウルをベースに固定することができる利点がある。
また、解除レバーを押すという簡単な操作により保留ボウルをベースから取り外すことができ、さらに、解除レバーが凹部に配置されているので誤って操作されることがない利点がある。
【００３５】
【図面の簡単な説明】
【図１】図１は、本発明の実施例を装着したコインホッパの斜視図である。
【図２】図２は、本発明の実施例を装着したコインホッパの平面図である。
【図３】図３は、保留ボウルを取り外した本発明の実施例を装着したベースの斜視図である。
【図４】図４は、本発明の実施例の図２におけるＡ―Ａ断面図である。
【図５】図５は、本発明の実施例の解除レバー部の部分断面図である。の斜視図である。
【符号の説明】
１４  ベース
１６  回転ディスク
２０  保留ボウル
５２  ベース側第１フック
６０  第１凸部
６４  ボウル側第１フック
６６  第１凹部
７２  ベース側第２フック
８０  シャフト
８４  解除レバー
８５  凹部
９２  ボウル側第２フック
９６  ベース側位置決め装置
９８  ボウル側位置決め装置
【図１】
2004334408.tif 000003
【図２】
2004334408.tif 000004
【図３】
2004334408.tif 000005
【図４】
2004334408.tif 000006
【図５】
2004334408.tif 000007